【事件の表示】
　特許第３１８２９９１号「健康管理指針アドバイス装置」の請求項１、４ないし７、９、１０、１２に係る特許に対する特許異議の申立てについて、次のとおり決定する。
【結　論】
　訂正を認める。
　特許第３１８２９９１号の請求項１、４、５、６、７、９、１０に係る特許を取り消す。
【理　由】
１．手続の経緯
特許第３１８２９９１号の発明についての出願は、平成５年８月１２日に出願され、平成１３年４月２７日にその特許権の設定登録がなされ、その後、山本尚平、池田英治より特許異議の申立がなされ、取消しの理由が通知され、その指定期間内である平成１４年５月１日に訂正請求がなされたものである。
　
２．訂正の適否
ａ．訂正の内容
(1)特許請求の範囲の請求項１を、次のとおり訂正する。
「携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備える健康管理指針アドバイス装置において、
装置本体の中央部に、インピーダンス測定開始から終了までの間、被験者に測定を開始した旨の情報又はインピーダンス値が安定しない場合に電極を確実に把持するよう促す旨の情報を表示する表示部を備え、前記表示部に対して左右両側に前記電極を備えたことを特徴とする健康管理指針アドバイス装置。」
(2)特許請求の範囲の請求項２を、次のとおり訂正する。
「携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備える健康管理指針アドバイス装置において、
装置本体の中央部にインピーダンス測定開始から終了までの被験者に有益な情報を表示する表示部を備え、装置本体の前記表示部に対して左右両側に握部を一体的に形成し、この握部上に前記電極を形成し、さらに前記表示部と前記握部間に貫通穴を設けたことを特徴とする健康管理指針アドバイス装置。」
(3)特許請求の範囲の請求項１２を、削除する。
(4)本件特許明細書の段落〔０００５〕を、次のとおり訂正する。
「【課題を解決するための手段】
この発明の請求項１に係る健康管理指針アドバイス装置は、携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備えるものにおいて、装置本体の中央部に、インピーダンス測定開始から終了までの間、被験者に測定を開始した旨の情報又はインピーダンス値が安定しない場合に電極を確実に把持するよう促す旨の情報を表示する表示部を備え、前記表示部に対して左右両側に前記電極を備えている（図１、図８、図９、図１０、図１１、図１２、図１３、図１４、図１５参照）。」
(5)本件特許明細書の段落〔０００７〕を、次のとおり訂正する。
「また、請求項２に係る健康管理指針アドバイス装置は、携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備えるものにおいて、装置本体の中央部にインピーダンス測定開始から終了までの被験者に有益な情報を表示する表示部を備え、装置本体の前記表示部に対して左右両側に握部を一体的に形成し、この握部上に前記電極を形成し、さらに前記表示部と前記握部間に貫通穴を設けてある（図１、図８、図１０、図１４参照）。」
(6)本件特許明細書の段落〔００１１〕を、削除する。
(7)本件特許明細書の段落〔００１２〕〜〔００３２〕を、段落〔００１１〕の削除に対応してその番号を１つずつ繰り上げる。
(8)本件特許明細書の段落〔００３３〕を、次のとおり訂正すると共に、段落〔００１１〕の削除に対応してその番号を１つ繰り上げる。
「【発明の効果】
請求項１に係る発明によれば、被験者が両手を装置本体に形成されている電極に接触させるだけで自身で測定ができ、また両側に電極を備えるものであるから手で装置本体を固定して測定ができ、測定中は安定化されて測定できるので、小型で軽量、安価に携行できる健康管理指針アドバイス装置を提供できる。
更に、本体中央部で、インピーダンス測定開始から終了までの間、被験者に測定を開始した旨の情報又はインピーダンス値が安定しない場合に電極を確実に把持するよう促す旨の情報を表示するので、被験者は両手で装置を保持した状態で中央部にある表示部に注目して測定することになる。それは、自然に正しい姿勢で測定でき、且つ測定中は被験者は意識することなく自然に身体が動かないようになる。その結果、測定中に身体が動いてしまう等による測定ミスを防ぐことができる。」
(9)本件特許明細書の段落〔００３４〕を、次のとおり訂正すると共に、段落〔００１１〕の削除に対応してその番号を１つ繰り上げる。
「請求項２に係る発明によれば、請求項１の構成に加えて、本体に一体的に握部が形成され、かつ表示部と握部間に貫通穴を設けて、更に握部上に電極が形成されているので、上記請求項１の発明による効果が得られるだけでなく、握部を両手で握ることにより簡単にかつ安定して精度良く測定ができ、かつ握部が本体に一体的に形成され、かつ表示部と握部間に貫通穴を設けているので握部の強度が増すことにより破損をする心配が少なくて済む。」
(10)本件特許明細書の段落〔００３５〕〜〔００４３〕を、段落〔００１１〕の削除に対応して１つずつ繰り上げる。
(11)本件特許明細書の段落〔００４４〕を、削除する。
　
ｂ．訂正の目的の適否、新規事項の有無、及び特許請求の範囲の範囲の拡張・変更の存否
　上記訂正の内容(1)は、
「インピーダンス測定開始から終了までの」を「インピーダンス測定開始から終了までの間、」に
「有益な情報」を「測定を開始した旨の情報又はインピーダンス値が安定しない場合に電極を確実に把持するよう促す旨の情報」に限定するものであり、この訂正は、特許請求の範囲の減縮を目的とするものである。
　そして、上記下線部の訂正の「間、」は、「インピーダンス測定開始から終了までの」がどこに係るのか明りょうでないため、これを解消するためのものである。
　また、上記下線部の訂正の「測定を開始した旨の情報」は、本件特許明細書の段落〔００１７〕の記載、同訂正の「インピーダンス値が安定しない場合に電極を確実に把持するよう促す旨の情報」は、同段落〔００１８〕の記載、をそれぞれ根拠にしている。
　上記訂正の内容(2)は、明りょうでない記載の釈明を目的として訂正前の請求項２の記載形式を独立請求形式に改めたものである。
　上記訂正の内容 (3)は、請求項の削除であり、特許請求の範囲の減縮を目的とするものである。
　よって、上記訂正の内容(1)〜(3)の訂正は、願書に添付した明細書又は図面に記載した事項の範囲内でなされたものであり、また、実質上特許請求の範囲を拡張し又は変更するものではない。
　上記訂正の内容(4)〜(11)は、訂正の内容(1)〜(3)において訂正された記載との整合をとるために訂正するものであり、明りょうでない記載の釈明を目的とするものである。そして、訂正の内容(4)〜(11)は、願書に添付した明細書又は図面に記載した事項の範囲内においてされたものであり、また、実質上特許請求の範囲を拡張し、又は変更するものではない。
　
ｃ．むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立ての概要
（１）申立人山本尚平は、証拠として
甲第１号証：実開昭６３−１８８００４号公報
甲第2号証：特公平５−４９０５０号公報
甲第3号証：特開平４−８９０３０号公報
甲第4号証：特開平２−２９５５４１号公報
甲第5号証：実開平１−１１９６１４号公報
を提出し、
本件請求項１に係る発明は、甲第１号証乃至甲第５号証から容易に発明をすることができたものであり、特許法第２９条第２項の規定に違反するので特許を受けることができない旨主張している。
　
（２）申立人池田英治は、証拠として
甲第１号証：実公平５−２１６４号公報
甲第2号証：実願昭６３−１６８５０２号
　　　　　（実開平２−８６５０４号）のマイクロフィルム
甲第3号証：実願昭５３−１７９４６号
　　　　　（実開昭５４−１２１６８４号）のマイクロフィルム
甲第4号証：特開平４−７５６３２号公報
甲第5号証：ＥＰ００２６７９６Ａ１　（公開日：８１年４月１５日）
甲第6号証：特公昭５６−４３７３４号公報
甲第7号証：特開昭６１−７６９２６号公報
甲第8号証：特開平２−１５４１２５号公報
甲第9号証：実願昭５６−９０６７１号
　　　　　（実開昭５７−２０３９０３号）のマイクロフィルム
甲第10号証：実開平５−４１５０５号公報
甲第11号証：実開昭５８−１８２７０７号公報
甲第12号証：実願昭５６−１２９０５号
　　　　　（実開昭５７−１２６２０４号）のマイクロフィルム
を提出し、
本件請求項１、４、５、６、７、９、１０、及び１２に係る発明は、甲第１号証乃至甲第１２号証から容易に発明をすることができたものであり、特許法第２９条第２項の規定に違反するので特許を受けることができない旨主張している。
　
４．特許異議の申立てについての判断
４−１．本件発明
　上記訂正により特許第３１８２９９１号に係る発明は、訂正明細書の特許請求の範囲の請求項１〜１１に記載された次のとおりものである。
「【請求項１】
携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備える健康管理指針アドバイス装置において、
装置本体の中央部に、インピーダンス測定開始から終了までの間、被験者に測定を開始した旨の情報又はインピーダンス値が安定しない場合に電極を確実に把持するよう促す旨の情報を表示する表示部を備え、前記表示部に対して左右両側に前記電極を備えたことを特徴とする健康管理指針アドバイス装置。」
【請求項２】
携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備える健康管理指針アドバイス装置において、装置本体の中央部にインピーダンス測定開始から終了までの被験者に有益な情報を表示する表示部を備え、装置本体の前記表示部に対して左右両側に握部を一体的に形成し、この握部上に前記電極を形成し、さらに前記表示部と前記握部間に貫通穴を設けたことを特徴とする健康管理指針アドバイス装置。
【請求項３】前記握部は、柱状部を有し、この柱状部に電極が形成されるものであり、前記電極対は、高周波信号印加用電極と身体抵抗電位計測用電極とをそれぞれ備え、前記高周波信号印加用電極と身体抵抗電位測定用電極を握部の柱状部の軸方向に対し互いにずらして配置していることを特徴とする請求項２記載の健康管理指針アドバイス装置。
【請求項４】前記電極対は、本体両端に備えており、かつ電極対は、それぞれ高周波信号印加用電極と身体抵抗電位計測用電極とを、両手で電極を把持し、両手を真っ直ぐ前方に延ばして水平にして、電極を持った状態で互いに上下方向に分離して配置していることを特徴とする請求項１記載の健康管理指針アドバイス装置。
【請求項５】前記電極対は、高周波信号印加用電極と身体抵抗電位計測用電極とを備え、高周波信号印加用電極の位置を身体抵抗電位計測用電極に対しより身体末梢側の位置に分離して備えていることを特徴とする請求項１又は請求項２記載の健康管理指針アドバイス装置。
【請求項６】装置両側に握部を備え、前記電極は前記握部に形成されていることを特徴とする請求項１、請求項４又は請求項５記載の健康管理指針アドバイス装置。
【請求項７】装置両側に握部を備え、前記電極は前記握部に形成されて、かつ前記握部に被験者の手を位置決めする位置決め手段を備えることを特徴とする請求項１、請求項２、請求項３、請求項４又は請求項５記載の健康管理指針アドバイス装置。
【請求項８】前記電極は、装置本体表面に対し凹部に形成されていることを特徴とする請求項１又は請求項４記載の健康管理指針アドバイス装置。
【請求項９】前記電極に左右の手を触れた状態で測定開始操作ができる範囲に測定開始操作手段が設けられていることを特徴とする請求項１、請求項２、請求項３、請求項４、請求項５、請求項６、請求項７又は請求項８記載の健康管理指針アドバイス装置。
【請求項１０】前記左右の電極は、被験者のほぼ肩幅と同程度に離れた間隔で備わっていることを特徴とする請求項１、請求項２、請求項３、請求項４、請求項５、請求項６、請求項７、請求項８又は請求項９記載の健康管理指針アドバイス装置。
【請求項１１】前記電極対は、高周波信号印加用電極と身体抵抗電位計測用電極とを備え、身体抵抗電位計測用電極に対し高周波信号印加用電極が大きく形成していることを特徴とする請求項１又は請求項２記載の健康管理指針アドバイス装置。」
　
４−２．引用刊行物
　当審が通知した取消しの理由に引用した刊行物には、以下の事項が記載されている。
刊行物１：実公平５−２１６４号公報
「体脂肪成分比に基づく携帯用健康指針装置」（考案の名称）
「上記の課題は、この考案により、左右の手のそれぞれ一つの指を載置して体内インピーダンスを測定するために設けた良導体製の複数の電極１８・・・とする携帯用健康指針装置によって解決される。」（第２頁左欄第３９行−右欄第７行）
「第２図は、この考案による携帯用健康指針装置１０の裏面の形状を示すもので、各々二分割された電極１８が２組描かれている。これ等の電極１８はそれぞれ左右の手指（通常、親指または人差指）を接触させ、体内電気抵抗および体内インピーダンスを測定する回路の入力端子に相当するものである。・・・体内インピーダンス測定に関する原理および手段は、本出願人による昭和６１年特許願第１０２２５号明細書に開示する技術を応用することができる。」（第２頁右欄第３４行−第３頁左欄第２行）
「ここに示す携帯用健康指針装置によれば、機能キー群１４で体内電気抵抗および体内インピーダンス測定モードを選択した後、電極１８に左右手指を確実に接触させて、体内電気抵抗および体内インピーダンスを測定する。更に個人の身体データとしてテンキー１６から体重が入力されれば、身体組織内で脂肪の占める割合を中央処理装置２０で演算して、各データおよび演算結果を表示部に表示できる。」（第３頁左欄第１５行−第２３行）
「携帯用健康指針装置を用いれば、（１）被測定者の体内脂肪の成分比の測定が可能であり、（２）前以つて入力される性別、年齢、身長、体重等の基礎データを加味して所要演算を行い、測定された体内脂肪量に応じた適正摂取カロリーの表示、（３）・・・（４）従って、常時手軽に携帯・所持して使用者の健康上の諸条件の維持・管理の指標として利用する、ことができる。」（第３頁右欄第１４行−第２８行）
なお、上記「昭和６１年特許願第１０２２５号明細書」の公開公報である特開昭６２−１６９０２３号公報には、「この目的を達成するために本発明においては、インピーダンス法を利用する。・・・電極を通じて体内に交流の微弱電流を流し検電用電極より取り出しオーム数に変換するものである。」（第２頁右上欄第２０行−左下欄第５行）と記載されており、刊行物１のインピーダンス測定においても、体内に交流電流を流すための電極と、検電用電極が用いられると認められる。
　
刊行物２：実願昭６３−１６８５０２号
　　　　　（実開平２−８６５０４号公報）のマイクロフィルム
「体脂肪量及び体水分量測定装置」（考案の名称）
「一方の電極部（１ａ）（１ｃ）は入力電極として利用され、他方の電極部（１ｂ）（１ｄ）は、入力された交流信号に対する出力信号の電圧降下成分および位相角を検出する検出電極として利用される。なお、上記ファンクションジェネレータ（２）としては、種々の周波数及び出力電流のものが使用でき、例えば周波数５０ＫＨｚ程度、出力電流８００μＡ程度の交流電源が使用できる。」（第９頁第５行−第１２行）
　第１図には、ファンクションジェネレータ２につながる電極１ｂ、１ｄが、検出部３につながる電極１ａ、１ｃよりも身体末梢側に位置していることが示されている。
　
刊行物３：実願昭５３−１７９４６号
　　　　　（実開昭５４−１２１６８４号公報）のマイクロフィルム
「握り式心拍数計測装置」（考案の名称）
「第１図は斜視図で、１は内部に演算部が収納された半円筒状の心拍数表示体である。この表示体１の中央には心拍数のデジタル表示窓２が形成されている。３，４は円筒形状の被検者の第１、第２把持部で、この第１、第２把持部３，４は導電性部材から形成される。この第１，第２把持部３，４は所定間隔離間され、かつ前記心拍数表示体１と同軸的に一直線上に配列され、表示体１の両端部に絶縁部材５，６を介して固着される。」（第３頁第７行〜末行）
　
刊行物４：特開平４−７５６３２号公報
「この発明に係る脈拍計は、第１図に示すように、左側の電極１と右側の電極２と共通電極３とを備える。そして、脈拍を表示する液晶装置などからなる表示部４を有し、電極１、２、３を左右の手で握ることにより、電源部がオンになり、一定時間経過後に脈拍の計測を開始し、計測した脈拍数が表示部に表示される。」（第２頁左下欄第５行〜第１１行）
　
刊行物５：ＥＰ００２６７９６Ａ１
「この種の良く知られた装置によって、例えば手―手、手−足、足−足間の人体の電導度の測定が可能である。」（第１頁第９行〜第１１行）
「２本の接触電極２を、例えば、ユーザーの両手で把捉した場合には、身体の上部部位の電導度測定が可能である。」（第５頁第２１行〜第２３行）
　
刊行物８：特開平２−１５４１２５号公報
「ステップＳ１０では数字表示（表示エリア５１）を消灯する。これでクイックモードによる計測に入ったことが確認できる。そしてステップＳ１１ではサイン（表示エリア５２のマークセグメント５−０〜５−３）を点滅する。」（第６頁左上欄第４行〜第９行）
「サイン（セグメント）５―（ｎ）、即ち、最初はサイン５−（０）を消灯する。これにより、使用者は、・・・サイン５−（２）を消灯する。これにより、使用者は正常な計測進行及びサインの全消灯により計測終了を予知できる。」（第７頁左下欄第１１行〜右下欄第１３行）
　
刊行物１０：実願平３−２７０４９号
　　　　　（実開平５−４１５０５号）のマイクロフィルム）
「【００１２】足先用電極（４）が電流供給電極として、踵用電極（３）が電圧検出端子として使用される」
【００１３】また、基台（１）には、使用者が踵を接触させて乗ることで常に一定の位置に乗ることが出来る様、踵用電極（３）の後方に踵ガイド（２）が設けてある。」
　
刊行物１１：実願昭５７−７８４２５号
　　　　　（実開昭５８−１８２７０７号公報）のマイクロフィルム
「心拍数計」（考案の名称）
「電極１に左手の一部を、電極２に右手の一部を触れる」（第３頁第３行〜第４行）
「３は心拍数計モード専用ボタンであり、このボタンを押すと、通常の時計モードから直ちに心拍数計測モードに移行する」（第４頁第９行〜第１１行）
　第１図、第５図には、ボタン３は、いずれも電極１，２に手を触れたまま操作できる位置に設けられていることが示されている。
　
刊行物１２：実願昭５６−１２９０５号
　　　　　（実開昭５７−１２６２０４号公報）のマイクロフィルム
「（１１）は前記右側ハンドル（２ａ）と左側ハンドル（２ｂ）との間に取付金具（１２）を介して取り付けたディジタル表示式脈拍計で、・・・使用者が右手で右側グリップ（１ａ）を、左手で左側グリップ（１ｂ）を、夫々握ることによって使用者の心臓の脈動によって発生した生体発生電圧を右側検出電極（６ａ）及び左側検出電極（６ｂ）から夫々とり出して・・・表示器で表示するようになっている。」（第３頁６行〜第１９行）
　
４−３．対比・判断
４−３−１．請求項１に係る発明について
　請求項１に係る発明と刊行物１に記載された発明を比較すると次の一致点、相違点がある。
（一致点）
　「携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備える健康管理指針アドバイス装置において、
装置本体に表示部を備えた健康管理指針アドバイス装置」
（相違点１）
　表示部と電極の配置関係が、請求項１に係る発明は、装置本体の中央部に表示部があり、表示部に対して左右両側に電極を備えているのに対し、刊行物１に記載された発明では、そのようになっていない点。
（相違点２）
　請求項１に係る発明は、表示部に表示される情報が、「被験者に測定を開始した旨の情報」又は「インピーダンス値が安定しない場合に電極を確実に把持するよう促す旨の情報」のどちらか１つのみを表示する場合を含んでいるので、「被験者に測定を開始した旨の情報」を表示する場合の発明について検討すると、
インピーダンス測定開始から終了までの間、表示部に表示する情報が、請求項１に係る発明は、「被験者に測定を開始した旨の情報」であるのに対し、刊行物１に記載された発明では、そのような情報について明記されていない点。
　
（相違点１についての判断）
　電極に両手を接触させて健康に関するデータを測定する装置において、装置本体の中央部に表示部を配し、表示部に対して左右両側に電極を配置する配置する構成は、周知の配置構成である（例えば、刊行物３、４、５等参照）。
　よって、刊行物１に記載された携帯用健康指針装置の表示部と電極との配置に前記周知の配置構成を採用し、上記相違点に係る構成とすることは当業者が容易に想到し得ることである。
（相違点２についての判断）
　刊行物８には、「ステップＳ１０では数字表示（表示エリア５１）を消灯する。これでクイックモードによる計測に入ったことが確認できる。そしてステップ１１ではサイン（表示エリア５２のマークセグメント５−０〜５−３）を点滅する。」と記載されているように、被験者に対し測定を開始した旨を表示により知らせることは周知である。また、同刊行物に「サイン（セグメント）５―（ｎ）、即ち、最初はサイン５−（０）を消灯する。これにより、使用者は、・・・サイン５−（２）を消灯する。これにより、使用者は正常な計測進行及びサインの全消灯により計測終了を予知できる。」と記載されているように、測定中や測定終了を表示により知らせることも周知である。
　刊行物１に記載された携帯用健康指針装置も刊行物８に記載された電子体温計も、身体の一部を接触させておくことが測定上必要である健康に関するデータを測定する装置である点で共通しているから、刊行物１に記載された携帯用健康指針装置の表示情報に、刊行物８に記載された周知の表示情報を採用し、「測定開始から終了までの間、被験者に測定を開始した旨の情報を表示」することは当業者が容易に想到し得ることである。
　よって、請求項１に係る発明は、刊行物１、３、４、５、８に記載された発明に基いて、当業者が容易に発明をすることができたものである。
　
４−３−２．請求項４に係る発明について
　請求項４に係る発明は、刊行物１に記載された発明と上記（一致点）で一致し、上記(相違点１)（相違点２）に加えて、以下の点で相違する。
（相違点３）電極対が、請求項４に係る発明では、本体両端に備えてあるのに対し、刊行物１に記載された発明では、本体の両端ではない部分に備えている点。
（相違点４）電極対は、請求項４に係る発明では、それぞれ高周波信号印加用電極と身体抵抗電位計測用電極であるのに対し、刊行物１に記載された発明では、分割電極である点。
（相違点５）請求項４に係る発明では、両手を真っ直ぐ前方に延ばして水平にして、電極を持った状態で互いに上下方向に分離して配置しているのに対し、刊行物１に記載された発明では、電極は分離しているがその分離方向を明示していない点。
（相違点３、４、５についての判断）
　電極に両手を接触させて健康に関するデータを測定する装置において、電極対を本体両端に備える電極配置は、周知の配置構成である（例えば、刊行物３、４、５、１１等参照）。　
　また、刊行物１に記載された文献を参照すると、分割された電極１８の一方は電極体内に交流電流を流すための電極であり、他方は検電用電極である。また、体内脂肪を計測する際に用いられる通常の交流の周波数領域は、高周波領域であることから（刊行物２等参照）、刊行物１に記載された分割電極は、本件発明の高周波信号印加用電極と身体抵抗電位計測用電極に相当する。
　そして、電極の分離方向を相違点５のように設定することは、それぞれの手が２つの電極に接触することが必要であることを考慮しながら、当業者が適宜設定しうる事項である。
　よって、請求項４に係る発明は、刊行物１−５、８、１１に記載された発明に基いて、当業者が容易に発明をすることができたものである。
　
４−３−３．請求項５に係る発明について
　請求項５に係る発明は、刊行物１に記載された発明と上記（一致点）で一致し、上記(相違点１)（相違点２）に加えて、以下の点で相違する。
（相違点６）請求項５に係る発明では、高周波信号印加用電極の位置を身体抵抗電位計測用電極に対しより身体末梢側の位置に分離して備えているのに対し、刊行物１に記載された発明では、電極の位置関係が不明瞭である点。
（相違点６についての判断）
　刊行物１に記載された文献を参照すると、分割された電極１８の一方は電極体内に交流電流を流すための電極であり、他方は検電用電極である。また、体内脂肪を計測する際に用いられる通常の交流の周波数領域は、高周波領域であることから（刊行物２等参照）、刊行物１に記載された分割電極は、本件発明の高周波信号印加用電極と身体抵抗電位計測用電極に相当する。
　そして、高周波信号印加用電極の位置を身体抵抗電位計測用電極に対しより身体末梢側の位置に配置することは、当該分野において周知である（刊行物２第１図の手足に対する各電極の配置関係参照、刊行物１０の段落【００１２】参照）。
　よって、請求項５に係る発明は、刊行物１−５、８、１０に記載された発明に基いて、当業者が容易に発明をすることができたものである。
　
４−３−４．請求項６に係る発明について
　請求項６に係る発明は、刊行物１に記載された発明と上記（一致点）で一致し、上記(相違点１)（相違点２）に加えて、以下の点で相違する。
（相違点７）電極が、請求項６に係る発明では、握部に形成されているのに対し、刊行物１に記載された発明では、そのようになっていない点。
（相違点７についての判断）
　電極に両手を接触させて健康に関するデータを測定する装置において、電極を手が握る部分に設けることは、周知である（例えば、刊行物３、４、５等参照）。
　よって、請求項６に係る発明は、刊行物１、３、４、５、８に記載された発明に基いて、当業者が容易に発明をすることができたものである。
　
４−３−５．請求項７に係る発明について
　請求項７に係る発明は、刊行物１に記載された発明と上記（一致点）で一致し、上記(相違点１)（相違点２）に加えて、以下の点で相違する。
（相違点８）請求項７に係る発明では、握部に被験者の手を位置決めする位置決め手段を備えるのに対し、刊行物１に記載された発明では、位置決め手段を有していない点。
（相違点８についての判断）
　刊行物１０の段落【００１３】欄に「基台（１）には、使用者が踵を接触させて乗ることで常に一定の位置に乗ることが出来る様、踵用電極（３）の後方に踵ガイド（２）が設けてある」と記載されていように、電極と身体の接触部位との位置関係が常に一定であるようにするためにガイドという位置決め手段を設けることは周知である。そして、電極との接触部位が手である刊行物１に記載された発明に、周知の位置決め手段を設けることは、当業者が容易に想到し得ることである。
　よって、請求項７に係る発明は、刊行物１、３、４、５、８、１０に記載された発明に基いて、当業者が容易に発明をすることができたものである。
　
４−３−６．請求項９に係る発明について
　請求項９に係る発明は、刊行物１に記載された発明と上記（一致点）で一致し、上記(相違点１)（相違点２）に加えて、以下の点で相違する。
（相違点９）請求項９に係る発明では電極に左右の手を触れた状態で測定開始操作ができる範囲に測定開始操作手段が設けられているのに対し、刊行物１に記載された発明では、不明である点。
（相違点９についての判断）
　刊行物１１に記載された発明は、「心拍数計」に関する発明であり、第３頁第３行〜第４行には「電極１に左手の一部を、電極２に右手の一部を触れる」と記載され、第４頁第９行〜第１１行には「３は心拍数計モード専用ボタンであり、このボタンを押すと、通常の時計モードから直ちに心拍数計測モードに移行する」と記載され、第１図、第５図には、ボタン３は、いずれも電極１，２に手を触れたまま操作できる位置に設けられていることが示されている。
　以上のように、電極に両手を接触させて健康に関するデータを測定する装置である点で、刊行物１に記載された携帯用健康指針装置と共通している刊行物４、刊行物１１に記載された「脈拍計」「心拍数計」において、電極に左右の手を触れた状態で測定開始操作ができる範囲に測定開始操作手段が設けることは周知であることに鑑みれば、刊行物１に記載された発明に前記周知技術を適用し、（相違点９）に係る構成を得ることは、当業者が容易に想到し得ることである。
　よって、請求項９に係る発明は、刊行物１、３、４、５、８、１１に記載された発明に基いて、当業者が容易に発明をすることができたものである。
　
４−３−７．請求項１０に係る発明について
　請求項１０に係る発明は、刊行物１に記載された発明と上記（一致点）で一致し、上記(相違点１)（相違点２）に加えて、以下の点で相違する。
（相違点１０）左右の電極が、請求項１０に係る発明では被験者のほぼ肩幅と同程度に離れた間隔であるのに対し、刊行物１に記載された発明では、どの程度離れているのか不明確である点。
（相違点１０についての判断）
　例えば、刊行物５に記載された発明の左右の電極は、左右の手で接触する他、左右の脚で接触する場合もあることから推察するに、電極間隔は肩幅程度であり、また、刊行物１２に記載された発明の左右の電極は、ハンドルのグリップに形成されていることから、やはり電極間隔は肩幅程度であることから、左右の手を左右の電極に接触させる際の電極間隔として肩幅程度と設定することは、適宜行われていることであり、周知である。
　よって、左右の手を左右の電極に接触させる刊行物１に記載された発明に、前記周知の電極間隔を適用し、相違点１０に係る構成とすることは、当業者が容易に想到し得ることである。
　よって、請求項１０に係る発明は、刊行物１、３、４、５、８、１２に記載された発明に基いて、当業者が容易に発明をすることができたものである。
　
　なお、申立人池田英治が取消しを求めた特許第３１７５７２３号の請求項１２に係る特許は、上記２．訂正の適否において示したように、訂正（削除）により、存在しないものとなった。
　
５．むすび
　以上のとおり、本件の請求項１、４、５、６、７、９、１０に係る発明の特許は、特許法第２９条第２項の規定に違反してなされたものであるから、同法第１１３条第２号に該当し、取り消されるべきものである。
　よって、特許法等の一部を改正する法律（平成６年法律第１１６号）附則第１４条の規定に基づく、特許法等一部を改正する法律の施行に伴う経過措置を定める政令（平成７年政令第２０５号）第４条第２項の規定により、結論のとおり決定する。
【異議決定日】
平成１４年９月１９日（２００２．９．１９）
【訂正の要旨】
（１）特許請求の範囲の請求項１を、次のとおり訂正する。
「携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備える健康管理指針アドバイス装置において、
装置本体の中央部に、インピーダンス測定開始から終了までの間、被験者に測定を開始した旨の情報又はインピーダンス値が安定しない場合に電極を確実に把持するよう促す旨の情報を表示する表示部を備え、前記表示部に対して左右両側に前記電極を備えたことを特徴とする健康管理指針アドバイス装置。」
（２）特許請求の範囲の請求項２を、次のとおり訂正する。
「携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備える健康管理指針アドバイス装置において、
装置本体の中央部にインピーダンス測定開始から終了までの被験者に有益な情報を表示する表示部を備え、装置本体の前記表示部に対して左右両側に握部を一体的に形成し、この握部上に前記電極を形成し、さらに前記表示部と前記握部間に貫通穴を設けたことを特徴とする健康管理指針アドバイス装置。」
（３）特許請求の範囲の請求項１２を、削除する。
（４）本件特許明細書の段落〔０００５〕を、次のとおり訂正する。
「【課題を解決するための手段】
この発明の請求項１に係る健康管理指針アドバイス装置は、携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報報とに基づいて健康評価データを算出する手段とを備えるものにおいて、装置本体の中央部に、インピーダンス測定開始から終了までの間、被験者に測定を開始した旨の情報又はインピーダンス値が安定しない場合に電極を確実に把持するよう促す旨の情報を表示する表示部を備え、前記表示部に対して左右両側に前記電極を備えている（図１、図８、図９、図１０、図１１、図１２、図１３、図１４、図１５参照）。」
（５）本件特許明細書の段落〔０００７〕を、次のとおり訂正する。
「また、請求項２に係る健康管理指針アドバイス装置は、携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備えるものにおいて、装置本体の中央部にインピーダンス測定開始から終了までの被験者に有益な情報を表示する表示部を備え、装置本体の前記表示部に対して左右両側に握部を一体的に形成し、この握部上に前記電極を形成し、さらに前記表示部と前記握部間に貫通穴を設けてある（図１、図８、図１０、図１４参照）。」
（６）本件特許明細書の段落〔００１１〕を、削除する。
（７）本件特許明細書の段落〔００１２〕〜〔００３２〕を、段落〔００１１〕の削除に対応してその番号を１つずつ繰り上げる。
（８）本件特許明細書の段落〔００３３〕を、次のとおり訂正すると共に、段落〔００１１〕の削除に対応してその番号を１つ繰り上げる。
「【発明の効果】
請求項１に係る発明によれば、被験者が両手を装置本体に形成されている電極に接触させるだけで自身で測定ができ、また両側に電極を備えるものであるから手で装置本体を固定して測定ができ、測定中は安定化されて測定できるので、小型で軽量、安価に携行できる健康管理指針アドバイス装置を提供できる。
更に、本体中央部で、インピーダンス測定開始から終了までの間、被験者に測定を開始した旨の情報又はインピーダンス値が安定しない場合に電極を確実に把持するよう促す旨の情報を表示するので、被験者は両手で装置を保持した状態で中央部にある表示部に注目して測定することになる。それは、自然に正しい姿勢で測定でき、且つ測定中は被験者は意識することなく自然に身体が動かないようになる。その結果、測定中に身体が動いてしまう等による測定ミスを防ぐことができる。」
（９）本件特許明細書の段落〔００３４〕を、次のとおり訂正すると共に、段落〔００１１〕の削除に対応してその番号を１つ繰り上げる。
「請求項２に係る発明によれば、請求項１の構成に加えて、本体に一体的に握部が形成され、かつ表示部と握部間に貫通穴を設けて、更に握部上に電極が形成されているので、上記請求項１の発明による効果が得られるだけでなく、握部を両手で握ることにより簡単にかつ安定して精度良く測定ができ、かつ握部が本体に一体的に形成され、かつ表示部と握部間に貫通穴を設けているので握部の強度が増すことにより破損をする心配が少なくて済む。」
（１０）本件特許明細書の段落〔００３５〕〜〔００４３〕を、段落〔００１１〕の削除に対応して１つずつ繰り上げる。
（１１）本件特許明細書の段落〔００４４〕を、削除する。
（５４）【発明の名称】
健康管理指針アドバイス装置
（５７）【特許請求の範囲】
　【請求項１】
　携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備える健康管理指針アドバイス装置において、
　装置本体の中央部に
、
間、
測定を開始した旨の情報又はインピーダンス値が安定しない場合に電極を確実に把持するよう促す旨の情報
　【請求項２】
　
携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備える健康管理指針アドバイス装置において、
　
装置本体の中央部にインピーダンス測定開始から終了までの被験者に有益な情報を表示する表示部を備え、装置本体の前記表示部に対して左右両側に握部を一体的に形成し、この握部上に前記電極を形成し、さらに前記表示部と前記握部間に貫通穴を設けたことを特徴とする
　【請求項３】
　前記握部は、柱状部を有し、この柱状部に電極が形成されるものであり、前記電極対は、高周波信号印加用電極と身体抵抗電位計測用電極とをそれぞれ備え、前記高周波信号印加用電極と身体抵抗電位計測用電極を握部の柱状部の軸方向に対し互いにずらして配置していることを特徴とする請求項２記載の健康管理指針アドバイス装置。
　【請求項４】
　前記電極対は、本体両端に備えており、かつ電極対は、それぞれ高周波信号印加用電極と身体抵抗電位計測用電極とを、両手で電極を把持し、両手を真っ直ぐ前方に延ばして水平にして、電極を持った状態で互いに上下方向に分離して配置していることを特徴とする請求項１記載の健康管理指針アドバイス装置。
　【請求項５】
　前記電極対は、高周波信号印加用電極と身体抵抗電位計測用電極とを備え、高周波信号印加用電極の位置を身体抵抗電位計測用電極に対しより身体末梢側の位置に分離して備えていることを特徴とする請求項１又は請求項２記載の健康管理指針アドバイス装置。
　【請求項６】
　装置両側に握部を備え、前記電極は前記握部に形成されていることを特徴とする請求項１、請求項４又は請求項５記載の健康管理指針アドバイス装置。
　【請求項７】
　装置両側に握部を備え、前記電極は前記握部に形成されて、かつ前記握部に被験者の手を位置決めする位置決め手段を備えることを特徴とする請求項１、請求項２、請求項３、請求項４又は請求項５記載の健康管理指針アドバイス装置。
　【請求項８】
　前記電極は、装置本体表面に対し凹部に形成されていることを特徴とする請求項１又は請求項４記載の健康管理指針アドバイス装置。
　【請求項９】
　前記電極に左右の手を触れた状態で測定開始操作ができる範囲に測定開始操作手段が設けられていることを特徴とする請求項１、請求項２、請求項３、請求項４、請求項５、請求項６、請求項７又は請求項８記載の健康管理指針アドバイス装置。
　【請求項１０】
　前記左右の電極は、被験者のほぼ肩幅と同程度に離れた間隔で備わっていることを特徴とする請求項１、請求項２、請求項３、請求項４、請求項５、請求項６、請求項７、請求項８又は請求項９記載の健康管理指針アドバイス装置。
　【請求項１１】
　前記電極対は、高周波信号印加用電極と身体抵抗電位計測用電極とを備え、身体抵抗電位計測用電極に対し高周波信号印加用電極が大きく形成していることを特徴とする請求項１又は請求項２記載の健康管理指針アドバイス装置。
【発明の詳細な説明】
　【０００１】
　【産業上の利用分野】
　この発明は、被験者の特定化情報と体内インピーダンス測定情報より、体内脂肪、除脂肪量、体脂肪率、水分量、基礎代謝量等を算出し、この算出結果を基に、健康管理への指針情報を提示する健康管理指針アドバイス装置に関する。
　【０００２】
　【従来の技術】
　従来より、体内脂肪を測定するために、４電極式体内インピーダンス測定法が知られている。この体内インピーダンス測定法は、図２４に示すように、本体装置１と、この本体装置１からリード線６で接続される高周波信号を印加するための１対の電極２、３と、身体抵抗電位計測用の１対の電極４、５を備えた装置を用い、被験者をベッドに寝かせ、図２５に示すように右手と右足に、それぞれ電極２、３を装着し、さらに、その右手と左足互いに近い側に、身体抵抗電位計測用の電極４、５を装着し、本体装置１より、電極２、３に高周波信号を印加して被験者体に通電し、電極４、５間の電位差を計測し、この計測された電位差と通電電流から、被験者体の生体インピーダンスを求めるものである。
　【０００３】
　【発明が解決しようとする課題】
　上記した従来の４電極式の身体内インピーダンス測定法を用いた体脂肪率測定装置では、以下のような問題点がある。
　▲１▼通電経路変化誤差を無くし、十分な測定精度を得るために、測定姿勢を仰臥とし、両足間の接触及び両手と胴間の接触を防止するために、それぞれを離す必要があった。▲２▼前記被験者の拘束性及び電極の装着・操作が複雑などにより、専門の操作者を別に必要とした。被験者自身で操作できず、家庭向けに不向きである。▲３▼本装置では、多数の被験者を処理する業務用であるため、大型のキー入力部・表示部、プリンタ部及びＡＣ電源部等を装備しているため、大型で取扱いの不便なものとなっている。▲４▼延長ケーブルを有する複数の電極部により、準備・後始末が煩わしい。▲５▼電極を装着する手足部位には、心電計の電極装着時と同様にケラチンクリーム等の導電剤を塗布し、接触抵抗の影響を軽減する必要があった。
　【０００４】
　この発明は、上記問題点に着目してなされたものであって、体内インピーダンスを被験者自身で測定でき、小型、軽量、安価で測定精度も良く、個人、一般家庭でも使用可能な健康管理指針アドバイス装置を提供することを目的としている。
　【０００５】
　【課題を解決するための手段】
　この発明の請求項１に係る健康管理指針アドバイス装置は、携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備えるものにおいて、装置本体の中央部に
、
間、
測定を開始した旨の情報又はインピーダンス値が安定しない場合に電極を確実に把持するよう促す旨の情報
　【０００６】
　この健康管理指針アドバイス装置では、両手を装置本体に形成されている電極に接触させるだけで自身で測定ができ、両側に電極を備えるので手で装置本体を固定して測定ができるので、測定中は安定化されて測定できるので、小型で軽量、安価に携行できる健康管理指針アドバイス装置を提供できる。
　【０００７】
　また、請求項２に係る健康管理指針アドバイス装置は、
携行可能な装置本体に被験者の右手と左手とを接触させる右手用電極と左手用電極を備えた電極対と、電極対の電極間の電位差を測定することにより身体内のインピーダンスを測定する手段と、被験者の身体特徴化情報を入力する手段と、前記インピーダンス値と前記身体特徴化情報とに基づいて健康評価データを算出する手段とを備えるものにおいて、装置本体の中央部にインピーダンス測定開始から終了までの被験者に有益な情報を表示する表示部を備え、装置本体の前記表示部に対して左右両側に握部を一体的に形成し、この握部上に前記電極を形成し、さらに前記表示部と前記握部間に貫通穴を設けてある
１０
　【０００８】
　また、請求項３に係る健康管理指針アドバイス装置は、握部が柱状部を有し、この柱状部に電極が形成されるものであり、かつ電極対として、高周波信号印加用電極と身体抵抗電位計測用電極とをそれぞれ備え、前記高周波信号印加用電極と身体抵抗電位計測用電極を握部の柱状部の軸方向に対し互いにずらして配置している（図１、図６、図８、図１０、図１４参照）。
　また、請求項４に係る健康管理指針アドバイス装置は、電極対を、本体両端に備えており、かつ電極対は高周波信号印加用電極と身体抵抗電位計測用電極とを、両手で電極を把持し、両手を真っ直ぐ前方に延ばして水平にして、電極を持った状態で互いに上下方向に分離して備えている（図１１、図１３）。
　また、請求項５に係る健康管理指針アドバイス装置は、電極対が、高周波信号印加用電極と身体抵抗電位計測用電極とを備え、高周波信号印加用電極の位置を身体抵抗電位計測用電極に対しより身体末梢側の位置に分離して備えている（図３、図４参照）。
　【０００９】
　また、請求項６に係る健康管理指針アドバイス装置は、装置両側に握部を備え、前記電極は前記握部に形成されている（図１、図８、図９、図１０、図１１、図１３、図１４、図１５参照）。
　また、請求項７に係る健康管理指針アドバイス装置は、装置両側に握部を備え、前記電極は前記握部に形成されて、かつ前記握部に被験者の手を位置決めする位置決め手段を備える（図１、図１１、図１３参照）。
　また、請求項８に係る健康管理指針アドバイス装置は、電極が、装置本体表面に対し凹部に形成されている（図１１、図１３参照）。
　【００１０】
　また、請求項９に係る健康管理指針アドバイス装置は、電極に左右の手を触れた状態で測定開始操作ができる範囲に測定開始操作手段が設けられている（図１３参照）。
　また、請求項１０に係る健康管理指針アドバイス装置は、左右の電極は、被験者のほぼ肩幅と同程度に離れた間隔で備わっている（図２参照）。
　また、請求項１１に係る健康管理指針アドバイス装置は、電極対が、高周波信号印加用電極と身体抵抗電位計測用電極とを備え、身体抵抗電位計測用電極に対し高周波信号印加用電極が大きく形成している（図３、図４、図６参照）。
　【００
１１
　【実施例】
　以下、実施例により、この発明をさらに詳細に説明する。
　図１は、この発明の一実施例を示す携帯用の健康管理指針アドバイス装置の外観斜視図である。この実施例装置は、本体部１１と、この本体部１１の左右両端部に、本体部１１に一体的に構成される左手用グリップ部（握部）１２と、右手用グリップ部（握部）１３とから構成されている。また本体部１１の前面には、電源スイッチ１４、スタート指示や被験者の身体的特徴である身長、体重等を入力するためのキースイッチ１５、さらに測定結果やアドバイス情報を表示するための表示部１６が設けられている。この表示部１６は、左手用グリップ部１２と右手用グリップ部１３との間のほぼ中央になるように配置されている。
　【００
１２
　左手用グリップ部１２、右手用グリップ部１３とも、垂直のほぼ円柱状であり、それぞれの表面には高周波信号印加用の電極１７、１８と、抵抗電位計測用の電極１９、２０が設けられている。これら電極１７、１８及び電極１９、２０は、図１に図示していないが、本体部１１内の回路部と電気的に接続されている。また、グリップ部１２、１３の本体部側は、手で握った際に、指がそれぞれフィットして位置決めされるように凹部９が設けられる。
　【００
１３
　左手用グリップ部１２と右手用グリップ部１３間の距離Ｌは、図２の（ｂ）に示すように、ほぼ肩幅と同程度に設定されている。測定を行う場合は、図２の（ａ）で示すように、被験者Ａが、左右の両手でグリップ部１２、１３を握り、両手を真っ直ぐに前方に延ばして水平にして、本体部１１を肩の高さにとめる。
　また、左手用グリップ部１２の高周波信号印加用の電極１７及び電位計測用の電極１９は、左手の図３に示す部分が、それぞれ番号に対応する電極が接触するように、また右手用グリップ部１３の高周波信号印加用の電極１８及び抵抗電位計測用の電極２０は、右手の図４に示す部分が、それぞれ番号に対応する電極に接触するように、配置されている。また、電極１７、１８、１９、２０は、掌との接触を良好とするために、グリップ部１２、１３の非電極形成面より突出して形成してある。この突出構成の具体例は後述する。
　【００
１４
　図５は、電極１７、１８と、電極１９、２０に接続される本体部１１内の回路構成を示すブロック図である。
　実施例装置の内部回路は、周波数ｆ０の定電流高周波信号を発生する高周波信号発生部２１（１０≦ｆ０≦１００ＫＨＺ）と、電極１９、２０からの電位信号を受ける差動増幅器２２と、周波数ｆ０以外の信号をカットするためのバンドパスフィルタ２３と、高周波信号成分を復調する復調回路２４と、アナログ信号をデジタル信号に変換するＡ／Ｄ変換器２５と、ＲＯＭ２６と、ＲＡＭ２７と、Ａ／Ｄ変換器２５からの入力やデータ入力部１５からの身長、体重、年令、性別、日時等のデータを取込み、インピーダンスの測定処理演算や、健康管理指針アドバイス情報を抽出する処理を実行するＣＰＵ２８、警告を行うためのブザー２９、測定結果を例えば、プリンタ等へ通信で出力する測定結果出力部３０、電源用の電池８等を備えている。
　【００
１５
　上記実施例装置において測定を行う際は、図６に示すように、左右の手で、それぞれ左手用グリップ部１２と右手用グリップ部１３をつかむ。高周波信号発生部２１より、周波数ｆ０の信号が電極１７、１８に印加され、電極１７、左手の掌、電極１９、生体（インピーダンス）、電極２０、右手の掌、電極１８と通電され、電極１９、２０の電位が差動増幅器２２に加えられ、電位差信号が得られる。
　【００
１６
　次に、上記実施例装置の測定動作を図７に示すフロー図を参照して説明する。
　電源スイッチ１４がＯＮされると、ＲＡＭ等の初期化や、各回路素子、表示素子のチェックを行う等の測定準備処理を行う（ステップＳＴ〔以下ＳＴと略す〕１）。次に被験者が、データ入力部１５より、身長、体重、年令、性別等の身体特徴化情報と測定日時データを入力する（ＳＴ２）。これらのデータが入力完了するまで、待機し（ＳＴ２、ＳＴ３）、データ入力が完了すると、データ入力部１５のスタートＳＷがＯＮされるのを待機する（ＳＴ４）。ここでは、ＳＴ３の“ＲＥＡＤＹ”かの判定ＹＥＳで、表示部１６に“スタートＳＷをＯＮして下さい”の指示表示を出して、被験者のキー操作を促してもよい。スタートＳＷがＯＮされると、数秒間のタイムディレーをおいて（ＳＴ５）、測定を開始した旨の報知をブザー２９で報知あるいは表示部１６で表示する（ＳＴ６）。ＳＴ５におけるディレータイムは、被験者がスタートＳＷをＯＮしてから、左右両手で、グリップ部１２、１３を完全、正確に握り得るに充分な時間に設定する。
　【００
１７
　インピーダンスが測定されると、その両手間インピーダンス測定値が正常範囲で安定しているか、どうかを確認し（ＳＴ７、ＳＴ８）、安定していない場合は、表示部１６で“グリップをしっかり握って下さい”の表示をするとともに、ブザー２９を動作させてその旨を報知する（ＳＴ９）。ＳＴ８において、正常で安定している場合には、測定処理及び、体脂肪の変換演算を実行し（ＳＴ１０）、測定終了を表示部１６、ブザー２９で報知する（ＳＴ１１）とともに、その後測定結果を表示部１６に表示し、必要に応じ、指針アドバイス情報も表示する（ＳＴ１２）。
　【００
１８
　また、この発明の他の実施例として、図８に示すように、本体部１１とグリップ部１２、１３のケース自体を一体成形としてもよい。これにより、生産が容易となり、小型、安価な装置が実現できる。
　また、この発明のさらに他の実施例として、図９に示すように、本体部１１の両端から、外方に向けて水平に棒状の左手用のグリップ部１２と右手用のグリップ部１３を延設し、これらのグリップ部１２、１３にそれぞれ高周波信号印加用の電極１７、１８と抵抗電位計測用の電極１９、２０を形成する。この場合の電極配置も、両手でグリップ部１２、１３を握ったときに図３と図４に示す掌の位置に、各電極が接触するように配置しておく。
　【００
１９
　また、この発明のさらに他の実施例として、図１０に示すように左手用グリップ部１２と右手用グリップ部１３は、それぞれ電極形成部が垂直円柱状であるが、本体部１１に対して、それぞれ左右方向（矢印で示す）に出入れ自在に調整し得る構造としてもよい。このように構成することにより、個人的に身幅に差がある例えば子供、女性等が被験者となる場合でも、グリップ部間を常に肩幅とすることができ、被験者が変わっても、精度の良い測定を行うのに好都合である。
　【００
２０
　また、図１、図８に示す実施例では、本体部１１の表示部１６と、グリップ部１２、１３間は、貫通穴を設ける構成としているが、この発明の他の実施例として、図１１に示すように、カメラ型の本体部１１の両端部に、それぞれ両手の掌がフィットするような形状に凹部１２ａ、１３ａを設け、これらを左手用のグリップ部１２と右手用のグリップ部１３としてもよい。なお、この実施例では、グリップ部１２、１３をそれぞれ左手と右手で握った場合、図３、図４に示す掌の番号の位置が、それぞれ電極１７、１８、１９、２０に接触するように、配置する。
　【００
２１
　また、このカメラ型をした、本体部１１の両端のグリップ部１２、１３の裏面を、図１２の横断面部（図１１のＡ−Ａ’で切断）に示すように、裏面方向に突出部１２ｂと凹部１２ｃを形成し、この突出部１２ｂと凹部１２ｃに、左手の親指以外の指を引っ掛け、表面凹部１２ａの親指とともに、しっかり握ることにより、掌の所定部をしっかりと電極１７、１９に接触させることができる。
　【００
２２
　この実施例装置において、グリップ部１２、１３を握った状態で、図１３に示すように、同時に親指でスタートＳＷのボタン１５ａを押せる位置に、スタートＳＷのボタン１５ａを配置することにより、スタートＳＷをＯＮし得る状態で、左右両手は、しっかりと電極１７、１８、１９、２０に接触しているので、図７で説明したタイムディレーは、ほとんど不要となる。
　【００
２３
　また、図１０に示した実施例では、本体部１１に対し、左右のグリップ部１２、１３をそれぞれ横方向に摺動自在にして、両グリップ間の距離を変え得るようにしたが、両グリップ間の距離を変えるため、図１０のものに代えて、図１４に示すように、グリップ部１２、１３をそれぞれ本体部１１に対し、回動可能な軸支手段３１、３２にアーム３３、３４で保持し、軸支手段３１、３２で矢符のように回動させて、グリップ部１２とグリップ部１３間の距離を変えるようにしてもよい。
　【００
２４
　また、図１の実施例等では、グリップ部１２、１３は、縦配置（垂直型）を示し、図９の実施例等では、グリップ部１２、１３は、横配置（水平型）を示したが、この発明では、図１５で示すように、本体部１１に対し、電極を形成したグリップ部１２、１３が傾斜角を持った傾斜型でもさしつかえない。
　次に、上記各実施例におけるグリップ部の電極構造について説明する。グリップ部１２の電極１７、１９はいずれも、電極の非形成部３５に対し、突出している。すなわち、図１６の（ｂ）に示すようグリップ１２の母材３６上に、シリコーンゴム等のシール材１７ａ（１９ａ）が形成され、その上面に電極１７（１９）が形成されている。電極材料としては、ＳＵＳ、Ａｇ、Ａｇ−Ａｇｃ１等が使用される。図１６の（ａ）はグリップ部の斜視図、図１６の（ｂ）は電極部の断面図である。また、さらに図１７に示すように、電極１７の表面に、エンボス突出形状１７ｂ（１９ｂ）を形成することにより、より一層、電極に対し掌の接触を強力にすることができる。図１７の（ａ）は、電極部の平面図、図１７の（ｂ）は電極部の断面図である。
　【００
２５
　また、高周波信号印加用の電極１７、１９を、図６に示すように、抵抗電位計測用の電極１８、２０に対し、長く形成することにより、個人毎の手のサイズの相違、手の圧等による電極の接触抵抗等による影響を少なくなるようにしている。
　上記各実施例装置の内部回路用の電源８は、装置の携帯用を実現するために電池が使用されている。この電池としては、環境衛生への配慮から、ポリアセン二次電池または、水素貯蔵・合金二次電池が使用される。本体部１１に二次電池を収納するので、ＡＣ１００Ｖを直流電圧に変換して二次電池を充電するためのＡＣアダプタを付属させることが望ましい。もっとも、人体漏れ電流による安全確保のため、ＡＣアダプタ接続時、本装置のインピーダンス測定回路がリレー等により絶縁されるか、ＡＣアダプタが二重絶縁等により、十分な医療機器の安全を確保できる機能であることが必要である。
　【００
２６
　上記各実施例装置では、グリップ部を確実に握っている状態で、インピーダンス測定を行うことが望ましい。したがって、より精度の高い測定を行うには、グリップ部が握れた状態、つまり掌が電極に接触したことを検出して、その検出出力に応答して測定を開始すればよい。
　図１８は、有接点スイッチのＯＮにより、接触有無を検出する場合を示しており、グリップ部１２の裏面側に、常態では、バネ４１により、接点４２、４３が非接触常態にある〔図１８の（ａ）参照〕。被験者が測定のため、グリップ部１２を、しっかりと握ると、操作板４４がバネ４１に接して、グリップ部１２の方に接近し、やがて接点４２、４３が接触する〔図１８の（ｂ）参照〕。このＯＮにより、接触有無検出回路４５がＯＮ信号を出力し、ＣＰＵ２８が、このＯＮ信号に応じて、測定開始指令を出力する。
　【００
２７
　図１９は、握り力を抵抗変化式の感圧センサを用いて、検出するものであり、グリップ部１２の本体部裏面側に、グリップ部表面と操作板４４間に、感圧ゴムセンサ４６を設けている。常態では、感圧ゴムセンサ４６には、圧力が加えられないが、被験者が測定のためにグリップ部１２を握ると、指先端の握力で、操作板４４がグリップ部１２の方に、引っ張られて、その力により感圧ゴムセンサ４６は圧力を受け、応じて抵抗値が変化する。抵抗値が変化すると、図１９の（ｂ）の回路において、感圧ゴムセンサ４６の端子電圧も変化し、この電圧がＡｍｐ４７で増幅されて、コンパレータ４８に加えられ、基準電圧と比較される。そしてコンパレータ４８は、圧力の有無に応じて、ＨｉｇｈあるいはＬｏｗの論理信号を出力する。ＣＰＵ２８は、これに応答し、圧力有の場合は、測定開始指令信号を出力する。
　【００
２８
　図２０は、この発明の他の実施例健康管理指針アドバイス装置の一部省略回路構成を示すブロック図である。この回路は、グリップ部１２、１３に配置した複数電極１７、１８、１９、２０の接続、あるいは接続信号線Ｉ１、Ｉ２、Ｅ１、Ｅ２を、電極信号切替部４９で切替えることができ、この切替により、左手と右手の掌のインピーダンスを測定し、握力、つまり接触の有無を計測することができる。なお電極信号切替部４９の切替は、ＣＰＵ２８からの切替コントロール信号により行う。
　【００
２９
　次に、この実施例回路により、左手と右手のそれぞれの掌の接触抵抗を求めて握力を測定し、所定の握力有とした場合に、インピーダンス測定処理を開始する場合の動作を図２３に示すフロー図により説明する。
　電源ＳＷがＯＮされて、動作がスタートし、測定準備処理を行い（ＳＴ２１）、身体特定化情報等を入力し（ＳＴ２２）、ＲＥＡＤＹ、ＹＥＳとなる（ＳＴ２３）までの処理は、図７の場合と同じである。この実施例では、ＳＴ２３のＲＥＡＤＹ、ＹＥＳに続いて、先ず左掌の接触抵抗を測定する（ＳＴ２４）。この処理は、ＣＰＵ２８より、切替コントロール信号を電極信号切替部４９に送り、電極信号切替部４９を、図２１に示す接続に切替える。この接続は、右掌側の電極１８、２０をＯＰＥＮにし、左掌側の電極１７、１９に信号発生部２１からの信号が印加されるように接続するとともに、電極１７、１９を差動増幅器２２の入力に接続するものであり、電極１７、１９間及び左掌を通して流れる電流と、両電極間の電位差により、左掌と電極１７、１９の接触抵抗を計測する。
　【００
３０
　左掌の接触抵抗が求まると、次に右掌の接触抵抗の測定に移る（ＳＴ２５）。この処理も、ＣＰＵ２８からの切替コントロール信号を電極信号切替部４９に送ることによりなされる。このステップにおける切替処理により、電極信号切替部４９の接続は、図２２に示すものとなる。この接続は、図２１とは逆に、左掌側の電極１７、１９をＯＰＥＮにし、右掌側の電極１８、２０に信号発生部１２からの信号が印加されるように接続するとともに、電極１８、２０を差動増幅器２２の入力に接続する。これにより、左掌の場合と同様にして、右掌の接触抵抗が測定される。
　【００
３１
　次に、測定した両掌の抵抗値が、規定値以下か否か判別し（ＳＴ２６）、規定値以下でなければ、被験者のグリップ部１２、１３の握力が、なお不十分であるとして“グリップ部を正確に握って下さい”の表示を表示部１６に表示して（ＳＴ２７）、ＳＴ２４に戻り、ＳＴ２４〜ＳＴ２７の処理を繰り返す。ＳＴ２６で両掌の抵抗値が規定値以下である場合には、グリップが正常に握られているものとして、測定開始を表示部に表示し（ＳＴ２８）、後はＳＴ２９〜ＳＴ３１で、図７のＳＴ１０〜ＳＴ１２と同様の処理を行う。
　【００
３２
　【発明の効果】
　請求項１に係る発明によれば、被験者が両手を装置本体に形成されている電極に接触させるだけで自身で測定ができ、また両側に電極を備えるものであるから手で装置本体を固定して測定ができ、測定中は安定化されて測定できるので、小型で軽量、安価に携行できる健康管理指針アドバイス装置を提供できる。
　更に、本体中央部で
、
間、
測定を開始した旨の情報又はインピーダンス値が安定しない場合に電極を確実に把持するよう促す旨の情報
被験者は
で中
注目して測定することになる。それは、自然に正しい姿勢で測定でき、且つ測定中は被験者は意識することなく自然に身体が動かないようになる。その結果、
　【００
３３
　請求項２に係る発明によれば、
請求項１の構成に加えて、
上記請求項１の発明による効果が得られるだけでなく、
　【００
３４
　請求項３に係る発明によれば、高周波信号印加用電極と身体抵抗電位計測用電極を握部の柱状部の軸方向に対し互いにずらして配置するものであるから、両手で握る位置が測定の度に軸に対し多少回転しても、両電極を握った感じが、常にぴったりと掌にフィットするように握ることができる。
　【００
３５
　請求項４に係る発明によれば、電極を本体両端に備えており、かつ電極対は、それぞれ高周波信号印加用電極と身体抵抗電位計測用電極とを、両手で電極を把持し、両手を真っ直ぐに前方に延ばして水平にして、電極を持った状態で互いに上下方向に分離しているから、両手で接触する位置が測定の度に多少回転しても、両電極を握った感じが、常にぴったりと掌にフィットするように握ることができる。
　【００
３６
　請求項５に係る発明によれば、電極対は、高周波信号印加用電極と身体抵抗電位計測用電極とを備え、高周波信号印加用電極の位置を身体抵抗電位計測用電極に対しより身体末梢側の位置に分離しているので、被験者は両手で電極に接触するだけで、高周波信号印加用電極が身体末梢側に位置することになり、簡単にかつ安定して精度良く手軽に測定できる。
　【００
３７
　請求項６に係る発明によれば、装置両側に握部を備え、電極はこの握部に形成されているので、装置を握って測定ができるために接触圧を十分確保できるので、より簡単にかつ安定して精度良く手軽に測定できる。
　【００
３８
　請求項７に係る発明によれば、装置両側に握部を備え、電極がこの握部に形成されて、かつこの握部に被験者の手を位置決めする位置決め手段を備えるので、両手で握る位置が測定の度にずれることによる測定部位の位置ずれの発生を防止できるので、再現性の良い測定ができる装置を供給できる。
　【００
３９
　請求項８に係る発明によれば、電極が、装置本体表面に対し凹部に形成されているので、電極部分が本体表面より落ち込んでおり、電極が外部からの接触による損傷を受け難く、保管時において電極を保護できるので信頼性が維持できる。
　【００
４０
　請求項９に係る発明によれば、電極に左右の手を触れた状態で測定開始操作ができる範囲に測定開始操作手段が設けられているので、測定開始操作から測定中において身体の挙動が発生する恐れが少なく、測定精度の向上及び安定した測定の開始が早くできる。
　【００
４１
　請求項１０に係る発明によれば、左右の電極を、被験者のほぼ肩幅と同程度に離れた間隔で備えているので、測定時において左右の手がお互いに触れる心配がなく、手を伸ばした状態で自然な姿勢で測定することができる。
　【００
４２
　請求項１１に係る発明によれば、電極対は、高周波信号印加用電極と身体抵抗電位計測用電極とを備え、身体抵抗電位計測用電極に対し高周波信号印加用電極を大きく形成しているので、高周波信号印加用電極は、高周波信号を印加するのに十分な印加面積が得られ、高周波信号印加用電極と手の接触抵抗を小さくでき、必要な高周波電流を安定して流すことができる。そのため、簡単にかつ安定して精度良く手軽に測定できる。
【図面の簡単な説明】
　【図１】
　この発明の一実施例を示す携帯用の健康管理指針アドバイス装置の外観斜視図である。
　【図２】
　同実施例装置の使用状態を説明する図である。
　【図３】
　同実施例装置において、グリップ部を握った場合の左手の電極対応位置を示す図である。
　【図４】
　同実施例装置において、グリップ部を握った場合の右手の電極対応位置を示す図である。
　【図５】
　同実施例装置の内部回路構成を示すブロック図である。
　【図６】
　同実施例装置のグリップ状態と、高周波信号印加、抵抗電位導出を説明する図である。
　【図７】
　同実施例装置の動作を説明するためのフロー図である。
　【図８】
　この発明の他の実施例を示す携帯用の健康管理指針アドバイス装置の外観図である。
　【図９】
　この発明の、さらに他の実施例を示す携帯用の健康管理指針アドバイス装置の外観斜視図である。
　【図１０】
　この発明の、さらに他の実施例を示す携帯用の健康管理指針アドバイス装置の外観図である。
　【図１１】
　この発明の、さらに他の実施例を示す携帯用の健康管理指針アドバイス装置の外観斜視図である。
　【図１２】
　同実施例装置のグリップ部を説明するための図である。
　【図１３】
　この発明の、さらに他の実施例を示す携帯用の健康管理指針アドバイス装置の外観斜視図である。
　【図１４】
　この発明の、さらに他の実施例を示す携帯用の健康管理指針アドバイス装置の外観斜視図である。
　【図１５】
　この発明の、さらに他の実施例を説明するための概略図である。
　【図１６】
　各実施例装置に使用される電極の構造を説明する図である。
　【図１７】
　各実施例装置に使用される電極の他の構造例を説明する図である。
　【図１８】
　グリップ部における、掌の接触有無検出の一例を説明する図である。
　【図１９】
　グリップ部における掌の接触有無検出の他の例を説明する図である。
　【図２０】
　この発明のさらに、他の実施例を示す健康管理指針アドバイス装置の一部省略の回路構成を示すブロック図である。
　【図２１】
　同実施例装置における左掌のインピーダンスを測定する場合の電極信号切替部の接続を示す回路図である。
　【図２２】
　同実施例装置における右掌のインピーダンスを測定する場合の電極信号切替部の接続を示す回路図である。
　【図２３】
　同実施例装置の動作を説明するためのフロー図である。
　【図２４】
　従来の生体インピーダンスの測定を説明する図である。
　【図２５】
　従来の生体インピーダンスの測定における手及び足への電極装着を説明する図である。
　【符号の説明】
　１１　　　　　本体部
　１２、１３　　グリップ部
　１７、１８　　高周波信号印加用の電極
　１９、２０　　身体抵抗電位計測用の電極